(57)【要約】【課題】本体を恰も水平輪切状に複数分割し、これを蛇腹状に折り畳み可能にすることにより嵩張らず、保管性・運搬性・包装性・取り扱い性等を簡便にし、しかも、多用途・多目的に適応する複合的なゴーグルヘルメットを提供する。【解決手段】下端部に外側周溝４を有するほぼ逆わん形のキャップ２と、上端部に内側逆周溝５を有し、かつ、該内側逆周溝５の直下方に複数のストッパー７を固定したほぼ空洞円錐台形の透明防護体３とからなり、前記外側周溝４と内側逆周溝５同士を噛合し係止するとともに、キャップ２と透明防護体３との間に連係体６を介してなる折り畳み式ゴーグルヘルメットを確保する。【選択図】　図２
2004084145.tif 000002
【特許請求の範囲】
【請求項１】
下端部に外側周溝（４）を有するほぼ逆わん形のキャップ（２）と、上端部に内側逆周溝（５）を有し、かつ、該内側逆周溝（５）の直下方に複数のストッパー（７）を固定したほぼ空洞円錐台形の透明防護体（３）とからなり、前記外側周溝（４）と内側逆周溝（５）同士を噛合し係止するとともに、キャップ（２）と透明防護体（３）との間に連係体（６）を介したことを特徴とする折り畳み式ゴーグルヘルメット。
【発明の詳細な説明】
【０００１】
【発明の属する技術分野】
本発明は折り畳み式ゴーグルヘルメットに関するものである。
【０００２】
【従来の技術】
一般にヘルメットは危険や暑さを避けるため安全帽・保護帽として頭を保護するために被る鉄製やプラスチックス製の帽子として従来から用いられている。
【０００３】
これら従来のヘルメットは、頭の形状に適応した逆わん形に一体成型したものが基本となって、後頭部から両耳部にまで被さるものや、これに鍔やひさし等を一体成型したもの、或いは顔面部に別途風防やゴーグルを着脱自在に取り付けたものなど用途・目的に応じた型のものが数多く市販されている。
【０００４】
【発明が解決しようとする課題】
前述のように、従来のヘルメットは何れも頭形に沿った半円器形に一体成型したものであるから頗る嵩高性となり、また、建設現場用・バイク乗車時用やレーサー用・野球やスキー等のスポーツ用その他の防危険時用や防暑用など特定用途に適応した種類の多数を用意しなければならず、しかも、特に保管性・運搬性及び包装性に難があり、流通過程並びに使用過程において円滑性を妨げる要因となっていた。
【０００５】
本発明は、本体を恰も水平輪切り状に複数分割し、これを蛇腹状に折り畳み可能にすることにより嵩張らず、かつ、多用途に適応した複合的ゴーグルヘルメットを提供することを目的としたものである。
【０００６】
【課題を解決するための手段】
而して、前記従来技術の問題点を改善すべくなした本発明の要旨は、下端部に外側周溝を有するほぼ逆わん形のキャップと、上端部に内側逆周溝を有し、かつ、該内側逆周溝の直下方に複数のストッパーを固定したほぼ空洞円錐台形の透明防護体とからなり、前記外側周溝と内側逆周溝同士を噛合し係止するとともに、キャップと透明防護体との間に連係体を介したことを特徴とする折り畳み式ゴーグルヘルメットにある。
【０００７】
斯かる構成によると、キャップと透明防護体との周溝同士が噛合し、これをストッパーが支えてその連結を不動のものとして維持するので頭に被せることができる。
【０００８】
このような状態において上方からキャップに押圧力を加えると、該キャップはその周溝側がストッパーの前述支え機能を解除し該部を通過しながら降下し、透明保護体内に連係体にて吊設され収容される。
【０００９】
そして、使用時には折り畳まれている本体（ゴーグルヘルメット）を頭に乗せ、透明防護体の鍔を両手で押し下げることにより、該キャップの周溝側がストッパーと摺接し該ストッパーを押圧することにより該部を通過し、キャップと透明防護体との周溝同士が噛合する。このとき、同時にストッパーが自由状態に戻り、前記周溝同士の噛合状態を下方から支えて自動的にその噛合を不動のものとする。
【００１０】
また、透明防護体は顔面を覆い、かつ、これが透視できるので風防やゴーグルとしての機能を有し、キャップと相俟ってヘルメットの一部としての機能も発揮する。そして、その下端部をスカート状に広げれば鍔やひさしとして機能し、キャップの内面に打ち張りした柔軟性緩衝材は頭部が受ける衝撃等に対するクッション材として機能する。さらに、必要に応じてキャップの外面に耐火・耐熱素材のカバーを固定することにより、一層多目的の用途に供される。
前記、柔軟性緩衝材及びカバーは各々キャップに固定されているので、常にキャップの動きに伴うことになる。
【００１１】
【発明の実施の形態】
次に、本発明の実施形態について図面を参照しつつ説明する。図１及び図２は本発明の一実施形態の外観図を示し、図３は図１の底面図を示す。
【００１２】
図中、１は本発明に係る折り畳み式ゴーグルヘルメットの本体であり、ほぼ逆わん（ｂｏｗｌ　ボウル）形のキャップ２と、ほぼ空洞円錐台形の透明防護体３を各々一体成型したものである。
【００１３】
そして、キャップ２の下端部には外側周溝４を、また、透明防護体３の上端部には内側逆周溝５をそれぞれ形成し、これらの周溝４・５同士が噛み合ってキャップ２の下端部と透明防護体３の上端部が連結することによって、前記本体１である折り畳み式ゴーグルヘルメットを構成する（図１参照）。
【００１４】
キャップ２と透明防護体３は、各々適宜な複数箇所に連係体６として強靭力な糸紐で連なっていて、通常、キャップ２は透明防護体３内に没し、かつ、前記連係体６によって吊設されて収納されている（図２参照）。
【００１５】
そして、透明防護体３に形成した内側逆周溝５の直下方には複数のストッパー７を固定する。このストッパー７は、基盤８内に設けたばね体と連動し、該ばね体の伸縮によって基盤８からの出入を繰り返す機能を有する（図４・図５及び図６参照）。
【００１６】
従って、本体１が不使用の場合、つまり、前述のようにキャップ２が透明防護体３内に吊設収納されている場合（図２・図６及び図９参照）、透明防護体３の内側からキャップ２を押し上げると、キャップ２の周溝側とストッパー７が徐々に摺接する。このとき、該周溝側がストッパー７を押圧してばね体を縮し、該ストッパー７を基盤８内に押し込み（図５参照）ながら該部を通過し、透明防護体３の逆周溝５にキャップ２の周溝４が噛み合う。このとき、ばね体の反力によりストッパー７が基盤８から突出してキャップ２の周溝４の底部を支える（図４参照）。
【００１７】
つまり、このときのストッパー７は周溝同士の噛合をそのままの状態を拘束し維持するとともに、キャップ２の下降落下を防ぎ、本体１を使用状態に供する機能を有する。
そして、この状態においてキャップ２を押し込むと、キャップ２の周溝４がストッパー７を押圧し（図５参照）、前記の機能を解除するからキャップ２は降下し、かつ、連係体６によって透明防護体３内に吊設収納することができる（図２・図６及び図９参照）。
【００１８】
キャップ２及び透明防護体３は通常用いられている材質（鉄板やプラスチックス等）で一体成型され、キャップ２の内側にはエアークッション等の柔軟性緩衝材９を打ち張り固定する。また、透明防護体３は強化プラスチックス材で製し、その下端部を外側に広げたスカート部とすれば鍔１０やひさしとした風防・ゴーグルとして機能する。
【００１９】
このようにした本体１に、さらにキャップ２の外面を覆うように防火・耐熱素材のカバー１１を固定し、該カバー１１を紐１２で結ぶことによって一層安全性を高めることができ、防火頭巾等として適用できる（図１０参照）。
【００２０】
また、本体１を恰も水平輪切り状に三分割以上の蛇腹状の構成にすれば一層薄く折り畳めるので保管性等に有効である。
【００２１】
【発明の効果】
本発明によると、仮に本体をニ分割の水平輪切りにすると高さ方向については本体を半分に、また、三分割にすると１／３に折り畳み収納できるので嵩張らず、保管性・運搬性・包装性等に極めて有利であり、かつ、折り畳みの着脱性がワンタッチで操作でき頗る簡便であり、何時でも何処でも瞬時に使用に供される。
【００２２】
また、キャップと透明防護体が一体不可分に結合してゴーグルヘルメットとして機能するので、多目的及び多用途等極めて広範囲に適用できる。
【図面の簡単な説明】
【図１】本発明に係る折り畳み式ゴーグルヘルメットの一実施形態を示す外観図である。
【図２】本発明に係る折り畳み式ゴーグルヘルメットの一実施形態を示す外観図である。
【図３】本発明に係る折り畳み式ゴーグルヘルメットの一実施形態を示す底面図である。
【図４】本発明に係る折り畳み式ゴーグルヘルメットの一実施形態を示す機能的断面図である。
【図５】本発明に係る折り畳み式ゴーグルヘルメットの一実施形態を示す機能的断面図である。
【図６】本発明に係る折り畳み式ゴーグルヘルメットの一実施形態を示す機能的断面図である。
【図７】本発明に係る折り畳み式ゴーグルヘルメットの一実施形態を示す機能的断面図である。
【図８】本発明に係る折り畳み式ゴーグルヘルメットの一実施形態を示す機能的断面図である。
【図９】本発明に係る折り畳み式ゴーグルヘルメットの一実施形態を示す機能的断面図である。
【図１０】本発明に係る折り畳み式ゴーグルヘルメットの一実施形態を示す外観図である。
【符号の説明】
１　本体
２　キャップ
３　透明防護体
４　外側周溝
５　内側逆周溝
６　連係体
７　ストッパー
８　基盤
９　柔軟性緩衝材
１０　鍔
１１　カバー
１２　紐
【図１】
2004084145.tif 000003
【図２】
2004084145.tif 000004
【図３】
2004084145.tif 000005
【図４】
2004084145.tif 000006
【図５】
2004084145.tif 000007
【図６】
2004084145.tif 000008
【図７】
2004084145.tif 000009
【図８】
2004084145.tif 000010
【図９】
2004084145.tif 000011
【図１０】
2004084145.tif 000012